(57)【要約】【課題】配索作業をより確実に行うことが可能なワイヤハーネスの配索支援装置及び配索支援方法を提供する。【解決手段】ワイヤハーネス１０を構成する電線１１それぞれの端部、あるいは、電線１１の端部に設けられたコネクタ毎に、電線１１またはコネクタを識別するための識別票１２が取り付けられており、予め設定された配索作業の順序に従って、各電線１１の配索経路を表示器２ａに順次表示すると共に、配索作業を行う電線１１またはコネクタの識別票１２に対応するコード２４を表示器２ａに表示する表示制御部２１と、識別票１２を読み込むコードリーダ４、及びコードリーダ４で読み込まれた識別票１２の情報と、コードリーダ４で読み込まれた配索作業を行う電線１１またはコネクタのコード２４の情報とを照合する照合部３１を有する配索作業照合手段５を備えた。【選択図】図１
2020150733.tif 000002
【特許請求の範囲】
【請求項１】
複数の電線を含むワイヤハーネスを配索対象に配索する際に用いられるワイヤハーネスの配索支援装置であって、
前記ワイヤハーネスを構成する電線それぞれの端部、あるいは、前記電線の端部に設けられたそれぞれのコネクタに、前記電線または前記コネクタを識別するための識別票が取り付けられており、
予め設定された配索作業の順序に従って、各電線の配索経路を表示器に順次表示すると共に、配索作業を行う前記電線または前記コネクタの前記識別票に対応するコードを前記表示器に表示する表示制御部と、
前記識別票を読み込む読込手段、及び前記読込手段で読み込まれた前記識別票の情報と、前記読込手段で読み込まれた配索作業を行う前記電線または前記コネクタの前記コードの情報とを照合する照合部を有する配索作業照合手段と、を備えた、
ワイヤハーネスの配索支援装置。
【請求項２】
前記照合部は、前記照合を行った時刻を記憶部に記憶する記憶手段を有する、
請求項１に記載のワイヤハーネスの配索支援装置。
【請求項３】
前記記憶部に記憶された情報を基に、前記ワイヤハーネスの配索作業の進捗状況を解析する進捗解析部をさらに備えた、
請求項２に記載のワイヤハーネスの配索支援装置。
【請求項４】
前記照合の結果、前記識別票の情報と前記配索作業を行う前記電線または前記コネクタの情報とが一致しない場合に、前記配索作業を行う作業者に警告を発する警告手段を有する、
請求項１乃至３の何れか１項に記載のワイヤハーネスの配索支援装置。
【請求項５】
複数の電線を含むワイヤハーネスを配索対象に配索する際に、ワイヤハーネスの配索支援を行う方法であって、
前記ワイヤハーネスを構成する電線それぞれの端部、あるいは、前記電線の端部に設けられたそれぞれのコネクタに、前記電線または前記コネクタを識別するための識別票を取り付けておき、
予め設定された配索作業の順序に従って、各電線の配索経路を表示器に順次表示すると共に、配索作業を行う前記電線または前記コネクタの前記識別票に対応するコードを前記表示器に表示し、
前記識別票を読込手段により読み込み、前記読込手段で読み込まれた前記識別票の情報と、前記読込手段で読み込まれた配索作業を行う前記電線または前記コネクタの前記コードの情報とを照合する、
ワイヤハーネスの配索支援方法。
【発明の詳細な説明】
【技術分野】
【０００１】
本発明は、ワイヤハーネスの配索支援装置及び配索支援方法に関する。
【背景技術】
【０００２】
車両用のワイヤハーネスは、車両内の機器に接続される複数の電線を、チューブや粘着テープ等で束にして集合部品（ＡＳＳＹ）としたものである。ワイヤハーネスを用いることにより、車両への配索作業において、束にしていない複数の電線を個々に配索する場合に比べ、ワイヤハーネスとして複数の電線を一度に配索可能となり、配索作業の効率が向上する。
【０００３】
例えば電車等の鉄道車両においては、全長が数１０ｍと非常に長いワイヤハーネスが用いられており、また総数で数千本あるいは数万本の電線を配索する必要がある場合もあり、配索作業を効率的に行うことが望まれる。そこで、本出願人は、予め設定された配索作業の順序に従って、各電線の配索経路を表示器に順次表示するように構成されたワイヤハーネスの配索支援装置を提案している（特許文献１参照）。
【先行技術文献】
【特許文献】
【０００４】
【特許文献１】特許第６３１９４８６号公報
【発明の概要】
【発明が解決しようとする課題】
【０００５】
ところで、上述のように、電車等の鉄道車両においては、非常に多くの電線を配線する必要があるため、表示器で指示されている電線と異なる電線を配索してしまう等のヒューマンエラーが発生してしまう場合があった。
【０００６】
そこで、本発明は、配索作業をより確実に行うことが可能なワイヤハーネスの配索支援装置及び配索支援方法を提供することを目的とする。
【課題を解決するための手段】
【０００７】
本発明は、上記課題を解決することを目的として、複数の電線を含むワイヤハーネスを配索対象に配索する際に用いられるワイヤハーネスの配索支援装置であって、前記ワイヤハーネスを構成する電線それぞれの端部、あるいは、前記電線の端部に設けられたそれぞれのコネクタに、前記電線または前記コネクタを識別するための識別票が取り付けられており、予め設定された配索作業の順序に従って、各電線の配索経路を表示器に順次表示すると共に、配索作業を行う前記電線または前記コネクタの前記識別票に対応するコードを前記表示器に表示する表示制御部と、前記識別票を読み込む読込手段、及び前記読込手段で読み込まれた前記識別票の情報と、前記読込手段で読み込まれた配索作業を行う前記電線または前記コネクタの前記コードの情報とを照合する照合部を有する配索作業照合手段と、を備えた、ワイヤハーネスの配索支援装置を提供する。
【０００８】
また、本発明は、上記課題を解決することを目的として、複数の電線を含むワイヤハーネスを配索対象に配索する際に、ワイヤハーネスの配索支援を行う方法であって、前記ワイヤハーネスを構成する電線それぞれの端部、あるいは、前記電線の端部に設けられたそれぞれのコネクタに、前記電線または前記コネクタを識別するための識別票を取り付けておき、予め設定された配索作業の順序に従って、各電線の配索経路を表示器に順次表示すると共に、配索作業を行う前記電線または前記コネクタの前記識別票に対応するコードを前記表示器に表示し、前記識別票を読込手段により読み込み、前記読込手段で読み込まれた前記識別票の情報と、前記読込手段で読み込まれた配索作業を行う前記電線または前記コネクタの前記コードの情報とを照合する、ワイヤハーネスの配索支援方法を提供する。
【発明の効果】
【０００９】
本発明によれば、配索作業をより確実に行うことが可能なワイヤハーネスの配索支援装置及び配索支援方法を提供することを目的とする。
【図面の簡単な説明】
【００１０】
【図１】本発明の一実施の形態に係るワイヤハーネスの配索支援装置の概略構成図である。
【図２】進捗状況の表示画面の一例を示す図である。
【図３】照合部の制御フローを示すフロー図である。
【図４】本発明の一変形例に係るワイヤハーネスの配索支援装置の概略構成図である。
【発明を実施するための形態】
【００１１】
［実施の形態］
以下、本発明の実施の形態を添付図面にしたがって説明する。
【００１２】
図１は、本実施の形態に係るワイヤハーネスの配索支援装置の概略構成図である。図１に示すように、ワイヤハーネスの配索支援装置１は、複数の電線１１を含むワイヤハーネス１０を配索対象に配索する際に用いられ、配索作業をサポートするためのものである。ここでは、配索対象が鉄道車両である場合を説明する。ワイヤハーネス１０は複数の電線１１を有するが、図１では、１本のみを図示している。
【００１３】
電線１１は、線状の導体の外周に絶縁体を被覆したものであるが、電線１１は、例えば、ＬＡＮケーブルのように、複数本の線状の導体の外周にそれぞれ絶縁体を被覆し、それらを外部シースで一括被覆し一体化したものであってもよい。ここで、絶縁体は、絶縁性の樹脂からなり、１層もしくは複数層であってもよい。外部シースは、絶縁体の間を埋めるように充実式押出しにより形成されてもよいし、チューブ状であってもよい。
【００１４】
ワイヤハーネスの配索支援装置１は、表示器２ａを有する作業用端末２と、作業用端末２と別体に設けられた管理用端末３と、を備えている。作業用端末２は、ワイヤハーネス１０の配索作業を行う作業者が配索作業時に携帯するものであり、ノート型パーソナルコンピュータやタブレット端末、スマートフォン等の携帯情報端末を用いることができる。ここでは、作業用端末２としてタブレット端末を用いた場合を示している。管理用端末３としては、例えばパーソナルコンピュータを用いることができる。
【００１５】
ワイヤハーネスの配索支援装置１は、予め設定された配索作業の順序に従って、各電線１１の配索経路を表示器２ａに順次表示する表示制御部２１を備えている。表示制御部２１は、作業用端末２に搭載されており、演算素子、メモリ、インターフェイス、ハードディスク、ソフトウェア等を適宜組み合わせて実現されている。また、作業用端末２には、配索作業の内容を記憶する配索作業情報記憶部２２が搭載されている。
【００１６】
本実施の形態では、配索の経路等を示す画像２３を配索作業情報記憶部２２に記憶しておき、当該画像を配索手順にしたがってスライドショーのように順次表示器２ａに表示するよう表示制御部２１を構成した。画像２３には、車両（車両のフレーム、機器等）の画像とワイヤハーネス１０（各電線１１）の配索経路の画像が含まれる。例えば、ワイヤハーネス１０（各電線１１）の配索経路は、車両（車両のフレーム、機器等）の３Ｄデータと配索リスト（各電線がどの機器間を接続するか、各電線の種類、各電線の長さ、各電線の識別情報）とを基に設計される。なお、これに限らず、例えば、ワイヤハーネスの配線モデルを３ＤＣＡＤデータとして配索作業情報記憶部２２に記憶しておき、３ＤＣＡＤデータを基にした三次元画像を表示器２ａに表示するように表示制御部２１を構成してもよい。このように、本実施の形態では、表示制御部２１による表示形態については、特に限定するものではない。
【００１７】
本実施の形態では、ワイヤハーネス１０を構成する電線１１それぞれの端部に、電線１１を識別するための識別票１２が取り付けられている。なお、複数の電線１１が束ねられ、束ねられた箇所に配線先を示すエリアラベルとして識別票１２が取り付けられていてもよい。本実施の形態では、識別票１２は、二次元コード（ＱＲコード（登録商標））１２２が印刷されたマークテープ１２１からなる。なお、これに限らず、マークテープ１２１にはバーコードが印刷されていてもよい。また、識別票１２として、ＩＣタグやＲＦＩＤタグを用いることも可能である。さらに、識別票１２は、電線１１の外周（外部シースの外周）に印刷されたものであってもよい。
【００１８】
この識別票１２（マークテープ１２１）は、本来、ワイヤハーネス１０を製造する際に用いられるものであり、電線１１を配置する布線作業時の照合用に取り付けられているものである。本実施の形態では、この識別票１２を利用して、後述する配索作業時（ぎ装作業時）の電線１１の照合を行うようにしている。なお、図示していないが、ワイヤハーネス１０は、電線１１の端部に設けられたコネクタを有していてもよい。例えば、複数の電線１１の端部に一括してコネクタが設けられている場合には、コネクタ毎に識別票１２が取り付けてあればよい。また、エリアラベルとしての識別票１２（複数の電線１１が束ねられ、束ねられた箇所に取り付けられた識別票１２）について照合を行ってもよい。
【００１９】
本実施の形態では、表示制御部２１は、配索作業を行う電線１１（またはコネクタ）の識別票１２に対応するコード２４を表示器２ａに表示するように構成されている。ここでは、コード２４として二次元コードを表示器２ａに表示する場合を示しているが、コード２４はバーコードであってもよい。識別票１２の二次元コード１２２と、表示器２ａに表示されるコード２４は全く同じものである必要はなく、例えばコード情報の一部に同一の内容が含まれるなど、両者が一対一で対応するものであればよい。ここでは一例として、コード２４として、識別票１２の二次元コード１２２と同一の二次元コードを用いる場合を説明する。
【００２０】
表示器２ａにコード２４を表示する形態は特に限定するものではないが、例えば、配索経路等を示す画像２３上の所定の位置（座標）に重ね合わせるようにコード２４を表示してもよいし、画像２３としてコード２４が予め埋め込まれたものを用いることも可能である。
【００２１】
本実施の形態に係るワイヤハーネスの配索支援装置１は、識別票１２とコード２４とを読み込む読込手段としてのコードリーダ４と、コードリーダ４で読み込まれた識別票１２の情報及びコード２４の情報を照合する照合部３１と、を有する配索作業照合手段５を備えている。
【００２２】
本実施の形態では、読込手段としてのコードリーダ４は、無線通信により、読み取ったコード情報（識別票１２の二次元コード１２２のコード情報、及びコード２４のコード情報）を、管理用端末３に送信可能に構成されている。コードリーダ４としては、例えば、カメラを備えた携帯電話を用いてもよい。なお、これに限らず、コードリーダ４は、有線通信により、読み取ったコード情報を管理用端末３に送信可能に構成されていてもよい。
【００２３】
照合部３１は、管理用端末３に搭載されており、演算素子、メモリ、インターフェイス、ハードディスク、ソフトウェア等を適宜組み合わせて実現されている。配索作業を行う作業者は、配索作業の開始時（あるいは終了時）に、コードリーダ４により、識別票１２の二次元コード１２２と、表示器２ａに表示されたコード２４とを読み込む。本実施の形態では、作業者は、各電線１１を配索し、鉄道車両内の機器に接続した後に、表示器２ａに表示されたコード２４、及び識別票１２の二次元コード１２２を読み取る。なお、各電線１１の配索前と、鉄道車両内の機器に接続した後の両方でコード２４，１２２を読み取ってもよい。照合部３１は、コードリーダ４から受信した二次元コード１２２のコード情報と、コード２４のコード情報とを照合し、両者が一致しているか（あるいは対応しているか）を判定する。照合部３１は、照合の結果、二次元コード１２２のコード情報とコード２４のコード情報とが一致（あるいは対応）している場合に、当該電線１１が配索済であること（当該電線１１の配索作業が完了したこと）を、管理用端末３の記憶部３４に記憶する。また、照合部３１は、配索作業毎に、照合を行った時刻（例えば二次元コード１２２のコード情報とコード２４のコード情報とが一致したと判定した時刻）を記憶部３４に記憶する。
【００２４】
また、照合部３１は、ワイヤハーネス１０の全ての電線１１について照合が行われたとき、当該ワイヤハーネス１０が配索済であることを記憶部３４に記憶する記憶手段を有する。例えば、ワイヤハーネス１０の配索作業が終了した際に、作業用端末２の表示画面に当該ワイヤハーネス１０の配索作業が終了したことを表すコード２４を表示するようにし、このコード２４が読み込まれたときに、ワイヤハーネス１０が配索済であることを記憶部３４に記憶するように照合部３１の記憶手段を構成してもよい。また、例えば、照合部３１の記憶手段は、ワイヤハーネス１０の配索作業において最後に配索作業が行われる電線１１（予め設定された特定の電線１１）が配索済みとなったときに、当該ワイヤハーネス１０が配索済みであることを記憶部３４に記憶するように構成されていてもよい。照合部３１の記憶手段は、ワイヤハーネス１０が配索済となった時刻についても、記憶部３４に記憶する。
【００２５】
このように、各配索作業を開始あるいは終了した時刻を記憶部３４に記憶しておくことで、後に、どの配索作業で時間がかかったかを知ることができ、時間がかかる配索作業の改善を図るなど、効果的な作業改善のアプローチをとることが可能になる。その結果、ワイヤハーネス１０の配索作業の作業効率を向上でき、鉄道車両等の生産性を高めることが可能になる。また、各配索作業でかかった時間の統計をとることで、各配索作業の標準的な作業時間である標準配索時間を設定することも可能になる。この標準配索時間と、実際の作業時間とを比較することで、通常よりも作業が進んでいる、あるいは遅れている、といった判断を行うことも可能になる。
【００２６】
また、ワイヤハーネスの配索支援装置１は、照合部３１による照合の結果、識別票１２の情報とコード２４の情報とが一致しない場合に、配索作業を行う作業者に警告を発する警告手段６を有している。本実施の形態では、警告手段６は、照合部３１の照合の結果、二次元コード１２２のコード情報と、コード２４のコード情報とが一致しないと判定された際に、アラート情報を含むメールを作成して、作業者の携帯電話（スマートフォン）７に送信する警告部３２を有している。警告部３２は、管理用端末３に搭載されており、演算素子、メモリ、インターフェイス、ハードディスク、ソフトウェア等を適宜組み合わせて実現されている。
【００２７】
なお、警告手段６における警告方法は上記に限定されるものではなく、例えば、メール等の機能を用いて作業用端末２の表示器２ａにアラート情報を送信するように警告部３２を構成し、表示器２ａに、アラート情報の受信時に音や光、特定の表示等によって警報を発する機能を付加してもよい。また、アラート情報をコードリーダ４に送信するように警告部３２を構成し、コードリーダ４に、アラート情報の受信時に音や光、特定の表示等によって警報を発する機能を付加してもよい。さらに、警告手段６は、作業用端末２やコードリーダ４とは別体に構成され、アラート情報受信時に音や光等で警告を発生する警告装置を有していてもよい。
【００２８】
警告手段６を有することにより、警告が発生しない限りは、正しい順序で配索作業が行われていると作業者が認識することができる。なお、警告手段６に代えて、二次元コード１２２のコード情報とコード２４のコード情報の一致、不一致の両方を作業者に伝達する照合結果伝達手段を備えてもよい。照合結果伝達手段は、例えば、二次元コード１２２のコード情報とコード２４のコード情報とが一致した場合と、不一致である場合とで異なる音を鳴らす装置等を有していてもよい。
【００２９】
また、ワイヤハーネスの配索支援装置１は、記憶部３４に記憶された情報（照合結果と照合時刻）を基に、ワイヤハーネス１０の配索作業の進捗状況を解析する進捗解析部３３をさらに備えていてもよい。進捗解析部３３は、管理用端末３に搭載されており、演算素子、メモリ、インターフェイス、ハードディスク、ソフトウェア等を適宜組み合わせて実現されている。
【００３０】
進捗解析部３３は、解析により得た進捗状況を、管理用端末３の表示器３ａにリアルタイム表示するように構成されている。図２は、進捗状況の表示画面の一例を示す図である。図２に示すように、進捗状況の表示画面３３１には、鉄道車両全体における進捗情報を表示する全体進捗情報表示領域３３２と、現在配索中のワイヤハーネス１０の配索作業の進捗状況を表示する個別進捗情報表示領域３３３と、が設定されている。
【００３１】
進捗解析部３３は、予め設定された鉄道車両に配索するワイヤハーネス１０の総本数と、記憶部３４に記憶された配索済のワイヤハーネス１０の情報を基に、全体進捗情報表示領域３３２に、鉄道車両全体の配索作業がどの程度進んでいるかを表示する。図２の例では、配索するワイヤハーネス１０の総本数に対する配索済本数の割合、配索済のワイヤハーネス１０の本数、未配索のワイヤハーネス１０の本数、配索開始時刻からの経過時間、及び、予め設定された標準配索時間を全体進捗情報表示領域３３２に表示している。なお、配索開始時刻としては、最初に照合を行った時刻を用いてもよい。また、配索作業の開始時に作業者が自身の作業者特定用コードを読み込むようにして、その作業者特定用コードを読み込んだ時間を配索開始時刻としてもよい。さらに、作業者特定用コードを記憶部３４に保存し、各ワイヤハーネス１０の配索を行った作業者を特定できるようにしてもよい。
【００３２】
また、図２の例では、進捗状況の表示画面３３１の個別進捗情報表示領域３３３には、ワイヤハーネスの番号（名称あるいはＩＤ）、配索する電線１１の総本数に対する配索済本数の割合、配索済の電線１１の本数、未配索の電線１１の本数、配索を開始した時刻からの経過時間、及び、予め設定された標準配索時間を全体進捗情報表示領域３３２に表示している。なお、進捗状況の表示画面３３１の表示内容については、適宜設定可能であり、図示のものに限定されない。
【００３３】
ワイヤハーネスの配索支援装置１は、進捗解析部３３による進捗状況の解析結果を、ネットワークを介して外部から参照できるように構成されてもよい。これにより、例えば、ワイヤハーネス１０の生産工場において、配索作業の進捗状況に鑑みて、タイミングよくワイヤハーネス１０の製造を行うことが可能になる。
【００３４】
（照合部３１の制御フロー）
図３は、照合部３１の制御フローを示すフロー図である。照合部３１は、図３の制御フローを繰り返し実行するように構成される。図３の制御フローに先立ち、表示制御部２１により、配索作業を行う電線１１（またはコネクタ）の識別票１２に対応するコード２４が表示器２ａに表示される。
【００３５】
図３に示すように、まずステップＳ１にて、照合部３１は、コードリーダ４からコード情報（コード２４に含まれる情報）を受信したかを判定する。ステップＳ１でＮＯと判定された場合、ステップＳ１を繰り返す。ステップＳ１でＹＥＳと判定された場合、ステップＳ２にて、ステップＳ１で受信したコード情報を第１コード情報として記憶する。
【００３６】
その後、ステップＳ３にて、タイマ１をリセット、スタートした後、ステップＳ４にて、照合部３１は、コードリーダ４からコード情報（二次元コード１２２に含まれる情報）を受信したかを判定する。ステップＳ４でＮＯと判定された場合、ステップＳ５にて、照合部３１は、タイマ１が所定の閾値時間Ｔ１より大きいかを判定し、ステップＳ５でＮＯと判定された場合はステップＳ４に戻る。ステップＳ５でＹＥＳと判定された場合、最初にコード情報が読み込まれてから時間が経過し過ぎたため、ステップＳ１に戻る。
【００３７】
ステップＳ４でＹＥＳと判定された場合、ステップＳ６にて、照合部３１は、ステップＳ４で受信したコード情報（二次元コード１２２に含まれる情報）を第２コード情報として記憶する。その後、ステップＳ７にて、照合部３１は、第１コード情報と第２コード情報とが一致しているか判定する。なお、ここでは、コード２４、二次元コード１２２の順にコード情報を読み取る場合を説明したが、コード２４、二次元コード１２２の読み取りの順番は逆であってもよい。ステップＳ７でＹＥＳと判定された場合、ステップＳ８にて、コード情報に含まれる配索作業について、配索済であることを、時刻とともに記憶部３４に記憶し、リターンする（ステップＳ１に戻り処理を継続する）。なお、本実施の形態では、管理端末３で照合した結果が作業用端末２に伝えられないため、作業用端末２側で表示器２ａに表示される画像（図面）を切り替える必要がある。そこで、表示器２ａに、表示器２ａに表示される図面を切り替えるための切替ボタン（送りボタン（次の画像（図面）を表示）、戻しボタン（前の画像（図面）を表示））を表示してもよい。管理端末３で照合した結果を作業用端末２に伝えられる場合には、ステップＳ７でＹＥＳと判定された際に、照合部３１が作業用端末２に第１コード情報と第２コード情報とが一致したことを通知し、作業用端末２にて、次の画像（図面）が表示されるように構成してもよい。また、全ての電線の配索が完了した場合には、次のワイヤハーネス１０に関する画像（図面）が表示されるように構成してもよい。
【００３８】
ステップＳ７でＮＯと判定された場合、ステップＳ９にて、照合部３１は、警告部３２に、第１コード情報と第２コード情報とが一致しない旨を通知する。警告部３２は、アラート情報を含むメールを、予め設定されたアドレス（作業者の携帯電話７で受信可能なアドレス）に送信する。その後、リターンする（ステップＳ１に戻り処理を継続する）。アラート情報を含むメールを受信した作業者は、その後、別の電線１１とのチェックを行うことになる。なお、ステップＳ７でＮＯと判定された場合、ステップＳ４に戻ってもよい。
【００３９】
（変形例）
上記実施の形態では、コードリーダ４が管理用端末３にコード情報を送信する場合について説明したが、これに限らず、図４に示すように、コードリーダ４が、例えばＢｌｕｅｔｏｏｔｈ（登録商標）等の無線通信により、コード情報を作業用端末２に送信するようにし、作業用端末２から管理用端末３に、例えばＷｉ−Ｆｉ（登録商標）等の無線通信により、コード情報を送信するように構成してもよい。
【００４０】
また、上記実施の形態では、管理用端末３に照合部３１や警告部３２を搭載したが、これら照合部３１や警告部３２を作業用端末２に搭載するようにしてもよい。この場合、照合部３１での照合結果が作業用端末２から管理用端末３に送信され、管理用端末３の記憶部３４に時刻と共に記憶されることになる。警告部３２を作業用端末２に搭載することで、作業用端末２に警告表示をするなどして、警告手段６をより簡単な構成で実現することが可能になる。また、この場合、照合部３１での照合の結果、二次元コード１２２のコード情報とコード２４のコード情報とが不一致である場合には、次の配線作業の表示を行わないように表示制御部２１を構成することもできる。
【００４１】
さらに、進捗解析部３３や記憶部３４についても、作業用端末２に搭載してもよい。この場合、進捗状況の情報が管理用端末３に送信され表示器３ａに表示されることになる。
【００４２】
また、上記実施の形態では、進捗状況を管理用端末３の表示器３ａのみに表示したが、これに限らず、進捗状況のデータを作業用端末２に送信し、作業用端末２の表示器２ａに進捗状況を表示するようにしてもよい。これにより、管理者のみならず、作業者も進捗状況を確認しながら配索作業を進めることが可能になる。
【００４３】
また、上記実施の形態では、配索作業を行う電線１１の情報として、コードリーダ４で読み込まれたコード２４のコード情報を用いたが、これに限らず、作業順序毎に配索作業を行う電線１１の情報を、予め配索作業情報記憶部２２や記憶部３４に記憶させておいてもよい。これにより、コードリーダ４で二次元コード１２２のみを読み込めば、そのコード情報と記憶させておいた配索作業を行う電線１１の情報とを照合して、正しい順序で配索作業を行っているかを確認でき、配索作業の作業性を向上できる。この場合、作業用端末２の表示器２ａにコード２４を表示する機能は省略可能である。
【００４４】
さらに、上記実施の形態では、作業用端末２を用いて各電線１１の配索作業を行ったが、作業用端末２を省略することも可能である。例えば、配線図を印刷した紙を用いて配索作業を行うこともできる。この場合、例えば、配線図を印刷した紙に、電線１１の配索順序とコード２４を記しておき、このコード２４のコード情報と、識別票１２の二次元コード１２２とを照合するようにしてもよい。
【００４５】
（実施の形態の作用及び効果）
以上説明したように、本実施の形態に係るワイヤハーネスの配索支援装置１では、ワイヤハーネス１０を構成する電線１１それぞれの端部（あるいは電線１１の端部に設けられたコネクタ）毎に、電線１１（またはコネクタ）を識別するための識別票１２が取り付けられており、識別票１２を読み込む読込手段としてのコードリーダ４、及びコードリーダ４で読み込まれた識別票１２の情報と、配索作業を行う電線１１（またはコネクタ）の情報とを照合する照合部３１を有する配索作業照合手段５を備えている。
【００４６】
これにより、配索作業を行う電線１１が正しいかを確認しながら配索作業を進めることが可能になり、より確実な配索作業を行うことが可能になる。その結果、表示器２ａで指示されている電線１１と異なる電線１１を配索してしまう等のヒューマンエラーの発生を抑制することが可能になる。また、照合の結果を記憶しておくことにより、配索作業の履歴を残すことが可能になり、管理者等が進捗状況を知ることも可能になる。さらに、照合時（配索開始時あるいは終了時）の時刻を記憶しておくことにより、各配索作業にかかる時間を知ることができ、作業分析を行い配索作業の効率化を図ること等が可能になる。
【００４７】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４８】
［１］複数の電線（１１）を含むワイヤハーネス（１０）を配索対象に配索する際に用いられるワイヤハーネスの配索支援装置（１）であって、前記ワイヤハーネスを構成する電線（１１）それぞれの端部、あるいは、前記電線（１１）の端部に設けられたそれぞれのコネクタに、前記電線（１１）または前記コネクタを識別するための識別票（１２）が取り付けられており、予め設定された配索作業の順序に従って、各電線（１１）の配索経路を表示器（２ａ）に順次表示すると共に、配索作業を行う前記電線（１１）または前記コネクタの前記識別票（１２）に対応するコード（２４）を前記表示器（２ａ）に表示する表示制御部（２１）と、前記識別票（１２）を読み込む読込手段（４）、及び前記読込手段（４）で読み込まれた前記識別票（１２）の情報と、前記読込手段（４）で読み込まれた配索作業を行う前記電線（１１）または前記コネクタの前記コード（２４）の情報とを照合する照合部（３１）を有する配索作業照合手段（５）と、を備えた、ワイヤハーネスの配索支援装置（１）。
【００４９】
［２］前記照合部（３１）は、前記照合を行った時刻を記憶部（３４）に記憶する記憶手段を有する、［１］に記載のワイヤハーネスの配索支援装置（１）。
【００５０】
［３］前記記憶部（３４）に記憶された情報を基に、前記ワイヤハーネス（４）の配索作業の進捗状況を解析する進捗解析部（３３）をさらに備えた、［２］に記載のワイヤハーネスの配索支援装置（１）。
【００５１】
［４］前記照合の結果、前記識別票（１２）の情報と前記配索作業を行う前記電線（１１）または前記コネクタの情報とが一致しない場合に、前記配索作業を行う作業者に警告を発する警告手段（６）を有する、［１］乃至［３］の何れか１項に記載のワイヤハーネスの配索支援装置（１）。
【００５２】
［５］複数の電線（１１）を含むワイヤハーネス（１０）を配索対象に配索する際に、ワイヤハーネス（１１）の配索支援を行う方法であって、前記ワイヤハーネス（１０）を構成する電線（１１）それぞれの端部、あるいは、前記電線（１１）の端部に設けられたそれぞれのコネクタに、前記電線（１１）または前記コネクタを識別するための識別票（１２）を取り付けておき、予め設定された配索作業の順序に従って、各電線（１１）の配索経路を表示器（２ａ）に順次表示すると共に、配索作業を行う前記電線（１１）または前記コネクタの前記識別票（１２）に対応するコード（２４）を前記表示器（２ａ）に表示し、前記識別票（１２）を読込手段（４）により読み込み、前記読込手段（４）で読み込まれた前記識別票（１２）の情報と、前記読込手段（４）で読み込まれた配索作業を行う前記電線（１１）または前記コネクタの前記コード（２４）の情報とを照合する、ワイヤハーネスの配索支援方法。
【００５３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５４】
また、本発明は、その趣旨を逸脱しない範囲で適宜変形して実施することが可能である。例えば、識別票１２には、２次元コード１２２以外に文字情報が併記されていてもよく、識別票１２の２次元コードが汚れや皺等に読み取れない場合には、コードリーダ４（例えば、携帯電話等）に識別票１２に記載された文字情報を作業者が入力することで照合作業を行うことができるようにしてもよい。
【符号の説明】
【００５５】
１…ワイヤハーネスの配索支援装置
２…作業用端末
２ａ…表示器
２１…表示制御部
２２…配索作業情報記憶部
２４…コード
３…管理用端末
３ａ…表示器
３１…照合部
３２…警告部
３３…進捗解析部
３４…記憶部
４…コードリーダ（読込手段）
５…配索作業照合手段
６…警告手段
７…携帯電話
１０…ワイヤハーネス
１１…電線
１２…識別票
１２１…マークテープ
１２２…二次元コード
【図１】
2020150733.tif 000003
【図２】
2020150733.tif 000004
【図３】
2020150733.tif 000005
【図４】
2020150733.tif 000006